(57)【特許請求の範囲】
【請求項１】
複数の無線基地局から無線通信機に対して送る各送信電力を定期的に取得して記憶しておくメモリと、前記各無線基地局のうち前記無線通信機との間の無線回線の品質が最良である無線基地局を選択する選択手段と、前記選択手段で選択された無線基地局の送信電力を前記メモリから読み出して他の無線基地局から送られている送信電力を当該送信電力に変更する変更手段とを備えることを特徴とする送信電力制御システム。
【請求項２】
前記無線通信機と前記各無線基地局との間で通信されるフレームのヘッダには、無線回線の品質を示す情報が格納されており、前記選択手段は、前記情報に基づいて無線回線の品質が最良である無線基地局を選択することを特徴とする請求項１記載の送信電力制御システム。
【請求項３】
少なくとも前記選択手段を前記各無線基地局に接続されている無線ネットワーク制御装置に備えることを特徴とする請求項１記載の送信電力制御システム。
【請求項４】
さらに、前記メモリ及び前記変更手段を前記無線ネットワーク制御装置に備えることを特徴とする請求項３記載の送信電力制御システム。
【請求項５】
前記無線通信機は、移動無線通信機であることを特徴とする請求項１記載の送信電力制御システム。
【請求項６】
前記無線通信機は、携帯電話機であることを特徴とする請求項１記載の送信電力制御システム。
【発明の詳細な説明】
【０００１】
【発明の属する技術分野】
本発明は、送信電力制御システムに関し、特に、無線基地局から携帯電話機やＰＨＳなどの無線通信機への送信電力を制御する送信電力制御システムに関する。
【０００２】
【従来の技術】
従来、複数の無線基地局から携帯電話機に対して送られる各送信電力を、無線ネットワーク制御装置で定期的に取得して、それらの送信電力を相互に比較して、その中で最小の送信電力を送っている無線基地局を特定する。そして、特定した無線基地局の送信電力と同じ送信電力になるように、他の無線基地局の送信電力を変更する。こうして、各無線基地局の低消費電力化を図っていた。
【０００３】
【発明が解決しようとする課題】
しかし、従来の技術は、各無線基地局の低消費電力化を図ることを目的として送信電力を決定したので、通信品質が必ずしもよくなるような送信電力が決定されていなかった。その一方で、通信品質を優先させて送信電力を決定しても、無線基地局の消費電力はさほど高くならない。
【０００４】
そこで、本発明は、このような事情を考慮して、無線基地局から通信品質が向上するような送信電力を決定できるようにすることを課題とする。
【０００５】
【課題を解決するための手段】
上記課題を解決するために、本発明の送信電力制御システムは、複数の無線基地局から無線通信機に対して送る各送信電力を定期的に取得して記憶しておくメモリと、前記各無線基地局のうち前記無線通信機との間の無線回線の品質が最良である無線基地局を選択する選択手段と、前記選択手段で選択された無線基地局の送信電力を前記メモリから読み出して他の無線基地局から送られている送信電力を当該送信電力に変更する変更手段とを備える。
【０００６】
【発明の実施の形態】
以下、本発明の実施形態について図面を参照して説明する。
【０００７】
［構成の説明］
図１は、本発明の実施形態の送信電力制御システムの模式的な構成を示すブロック図である。図１には、携帯電話機やＰＨＳなどのユーザ端末（Ｕｓｅｒ  Ｅｑｕｉｐｍｅｎｔ：ＵＥ）１０と、ユーザ端末１０との間で無線接続される無線基地局（Ｂａｓｅ  Ｔｒａｎｓｃｅｉｖｅｒ  Ｓｔａｔｉｏｎ：ＢＴＳ）２１〜２３と、無線基地局２１〜２３からユーザ端末１０に対して送る送信電力を制御する無線ネットワーク制御装置（Ｒａｄｉｏ  Ｎｅｔｗｏｒｋ  Ｃｏｎｔｒｏｌｌｅｒ：ＲＮＣ）３１，３２と、無線ネットワーク制御装置３１，３２を接続する移動通信交換局（Ｍｏｂｉｌ−ｓｅｒｖｉｃｅ  Ｓｗｉｔｃｈｉｎｇ  Ｃｅｎｔｅｒ：ＭＳＣ）４０とを示している。
【０００８】
なお、無線ネットワーク制御装置（Ｓｅｒｖｉｎｇ−ＲＮＣ：Ｓ−ＲＮＣ）３１とは、ユーザ端末１０が通信を行う際に最初にアクセスした無線ネットワーク制御装置を指し、無線ネットワーク制御装置（Ｄｒｉｆｔ−ＲＮＣ：Ｄ−ＲＮＣ）３２とは、ユーザ端末１０がハンドオーバすることによってアクセス先の無線基地局が変わり且つその無線基地局の接続先が無線ネットワーク制御装置３１でない無線ネットワーク制御装置を指す。
【０００９】
また、ユーザ端末１０と無線基地局２１〜２３とを結ぶ回線（Ｕｕ）は、例えばＲＲＣ（Ｒａｄｉｏ  Ｒｅｓｏｕｒｃｅ  Ｃｏｎｔｒｏｌ）というプロトコルに基づいて管理され、無線ネットワーク制御装置３１，３２と無線基地局２１〜２３とを結ぶ回線（Ｉｕｒ）は、例えばＮＢＡＰ（Ｎｏｄｅ−Ｂ  Ａｐｐｌｉｃａｔｉｏｎ  Ｐｏｒｔ）というプロトコルに基づいて管理され、無線ネットワーク制御装置３１，３２と移動通信交換局４０とを結ぶ回線（Ｉｕｒ）は、例えばＲＡＮＡＰ（Ｒａｄｉｏ  Ｎｅｔｗｏｒｋ  Ｓｕｂｓｙｓｔｅｍ  Ａｐｐｌｉｃａｔｉｏｎ  Ｐｏｒｔ）というプロトコルに基づいて管理されるようにしている。
【００１０】
図２は、図１の無線ネットワーク制御装置３１，３２の模式的な内部構成を示すブロック図である。図２には、無線基地局２１〜２３からユーザ端末１０への各送信電力を定期的に取得して記憶しておくメモリ５１と、無線基地局２１〜２３から送信されるフレームのヘッダを参照する参照手段５２と、参照手段５２の参照結果に基づいてユーザ端末１０との間の無線回線の品質が最良である無線基地局を選択する選択手段５３と、選択手段５３で選択された無線基地局の送信電力をメモリ５１から読み出してその送信電力に変更するように無線基地局２１〜２３の送信電力を制御する送信電力制御手段５４とを示している。
【００１１】
なお、ここでは無線ネットワーク制御装置３１，３２は、レイヤ３を管理するソフトウェア部であるアプリケーション（ＡＰ）５５と、レイヤ１，レイヤ２を管理するソフトウェア・ファームウェア・ハードウェア部であるプラットフォーム（ＰＦ）５６とに大別した様子を示している。
【００１２】
参照手段５２及び選択手段５３は、プラットフォーム５６に備えているダイバーシチハンドオーバトランク（Ｄｉｖｅｒｓｉｔｙ  Ｈａｎｄ−ｏｖｅｒ  Ｔｒｕｎｋ）５７内に設けている。メモリ５１及び送信電力制御手段５４は、アプリケーション５５に備えている。
【００１３】
なお、メモリ５１や送信電力送信手段５４は一方或いは双方ともに移動通信交換局４０に備えるようにしてもよい。
【００１４】
［動作の説明］
つぎに、図１の送信電力制御システムの動作についてユーザ端末１０として携帯電話機やＰＨＳを適用した場合を想定して説明する。
【００１５】
まず、ユーザ端末１０が無線通信を行うときには、送信対象の情報をフレームのペイロードに格納するとともに、宛先をフレームのヘッダに格納してから無線基地局２１〜２３に送信している。
【００１６】
無線基地局２１〜２３は、ユーザ端末１０から送信されたフレームのペイロードに格納されている情報が正しいかどうかをパリティなどによって判別し、判別結果に基づくユーザ端末１０との間の通信品質の良し悪しを示す情報をヘッダに格納して無線ネットワーク制御装置３１へ送る。
【００１７】
ここで、無線ネットワーク制御装置３１は、無線基地局２１〜２３からユーザ端末１０への各送信電力を定期的に取得して、メモリ５１に記憶しておく。なお、無線ネットワーク制御装置３１は、無線基地局２１，２２からの送信電力については直接取得し、無線基地局２３からの送信電力については無線ネットワーク制御装置３２を経由して取得している。
【００１８】
そして、無線ネットワーク制御装置３１では、参照手段５２によって無線基地局２１〜２３から送られたフレームのヘッダの参照を行い、選択手段５３で参照手段５２の参照結果に基づいてユーザ端末１０との間の無線回線の品質が最良である無線基地局を選択する。
【００１９】
そして、送信電力制御手段５４によって選択手段５３で選択された無線基地局の送信電力をメモリ５１から読み出して、無線基地局２１〜２３の送信電力を無線回線の品質が最良である無線基地局の送信電力に変更するように、送信電力を取得したときの経路で指示を送る。
【００２０】
また、無線ネットワーク制御装置３１は、ユーザ端末１０から送信されたフレームを移動通信交換局４０へ送る。移動通信交換局４０は、無線ネットワーク制御装置３１から送られたフレームを、そのヘッダに格納されている宛先に従ってユーザ端末１０の通信相手に送る。
【００２１】
無線基地局２１〜２３は、送信電力制御手段５４から送られた指示に従ってユーザ端末１０への送信電力を変更する。なお、ユーザ端末１０がハンドオーバした場合には、ハンドオーバ先の無線基地局の送信電力が変更される。
【００２２】
また、本実施形態では、ユーザ端末１０として携帯電話機やＰＨＳを適用した場合を想定して説明したが、例えばユーザ端末１０としてパーソナルコンピュータを用いて、ブルートゥースなどのローカルエリアネットワークを介して無線通信を行うような場合であっても、同様の手順でパーソナルコンピュータへの送信電力を制御するようにすればよい。
【００２３】
【発明の効果】
以上、説明したように、本発明によると、無線基地局から通信品質が向上するような送信電力を決定できる。
【図面の簡単な説明】
【図１】本発明の実施形態１の送信電力制御システムの模式的な構成を示すブロック図である。
【図２】図１の無線ネットワーク制御装置３１，３２の模式的な内部構成を示すブロック図である。
【符号の説明】
１０  ユーザ端末
２１〜２３  無線基地局
３１，３２  無線ネットワーク制御装置
４０  移動通信交換局
５１  メモリ
５２  参照手段
５３  選択手段
５４  送信電力制御手段
【図１】
0003580423.tif 000002
【図２】
0003580423.tif 000003